(57)【要約】【課題】育成を希望する植物の生長を阻害することなく、飛来して来る雑草が発芽して生長することを抑止することで、景観を向上させつつ、地面強度の補強増加を図ることが可能な防草緑化マットおよびその施工方法を提供する。【解決手段】防草緑化マット１は、幅が約０．６ｍ〜約２ｍ、長さが２０ｍ〜５０ｍ、厚みが３ｍｍ〜１５ｍｍに形成され、マット本体１０に、平面視して円形状に形成された凸状部１１と凹状部１２とを規則的に点在させることで、断面凹凸状に形成されている。凸状部１１の頭頂面１１ａと凹状部１２の底面１２ａとに、貫通孔が育成孔１１ｂ，１２ｂとして設けられている。防草緑化マット１は、マット本体１０が断面凹凸状に形成されていることで、地面との隙間が凸状部１１の下方に確保される。この隙間が通水路１３となる。【選択図】図１
2008307026.tif 000002
【特許請求の範囲】
【請求項１】
地面に植え付けられることで生長する植物が通過可能な複数の貫通孔が、育成孔としてマット本体に設けられ、
前記地面と前記マット本体との間に通水路が形成されていることを特徴とする防草緑化マット。
【請求項２】
前記通水路は、前記マット本体を連続した断面凹凸状に形成することで、前記地面との間にできる隙間である請求項１記載の防草緑化マット。
【請求項３】
前記育成孔は、少なくとも前記断面凹凸状に形成されたマット本体の頭頂面に設けられている請求項１または２記載の防草緑化マット。
【請求項４】
前記マット本体に形成された凸状部は、直線状の稜線を有する請求項２または３記載の防草緑化マット。
【請求項５】
前記マット本体に形成された凸状部は、点在するように配置されている請求項２または３記載の防草緑化マット。
【請求項６】
前記マット本体は、光透過性部材で形成されている請求項１から５のいずれかの項に記載の防草緑化マット
【請求項７】
育成を希望する植物を地面に植え付ける工程と、
前記植物が生長して通過するのに可能な複数の貫通孔が、育成孔としてマット本体に設けられ、前記地面と前記マット本体との間に通水路が形成された防草緑化マットを、敷設する工程と、
前記防草緑化マットをアンカーで固定する工程とを含む防草緑化マットの施工方法。
【請求項８】
育成を希望する植物が生長して通過するのに可能な貫通孔が、育成孔としてマット本体に設けられ、前記地面と前記マット本体との間に通水路が形成された防草緑化マットを、敷設する工程と、
前記防草緑化マットをアンカーで固定する工程と、
前記植物を前記育成孔が形成された位置の地面に植え付ける工程と、
前記植物の幹を中心として放射状に前記マット本体に切れ目を入れる工程とを含む防草緑化マットの施工方法。
【発明の詳細な説明】
【技術分野】
【０００１】
本発明は、育成を希望する植物の生長を阻害することなく、飛来して来る雑草の種子が発芽して生長することを抑止することができる防草緑化マットおよびその施工方法に関する。
【背景技術】
【０００２】
飛来する雑草の種子が発芽して生長することを抑止する従来の防草マットとしては、例えば、特許文献１〜４に記載されたものがある。
特許文献１には、断面がＴ字形の細長帯に形成され、歩道のアスファルト舗装と擁壁や縁石等、コンクリート等同士、コンクリート等とアスファルト舗装との境界に確保された隙間に、垂直方向の脚部を挿着する防草マットが記載されている。
【０００３】
特許文献２には、側溝と舗装面との隙間や、縁石と舗装面との隙間に、二つ折りしたシートを挿入すると共に、シートの途中から一方または両方を折り曲げて広げ、舗装面などに接着させる舗装界面の防草構造が記載されている。
【０００４】
特許文献３には、表層に不織布、中間層にビチューメン、下層に保護フィルムを有し、防草施工箇所に保護フィルムを剥離除去して使用するようにした防草マットが記載されている。
【０００５】
特許文献４には、長繊維による多孔質不織布により形成され、表面に耐熱性合成樹脂が塗布され、かつ内部にも浸透させて防水性及び耐熱性が附与された被覆マットが記載されている。
【０００６】
これらの従来の防草マットは、防草したい地面に敷設されることで、雑草の種子がその地面へ侵入することを防ぎ、太陽の光を遮断して雨水の流入等を少なくし、雑草が生えることを防止するものである。
【０００７】
【特許文献１】特開平１０−１８３５５５号公報
【特許文献２】特開２００１−６４９３１号公報
【特許文献３】特開平６−１４６２３０号公報
【特許文献４】特許第３７０４５１８号公報
【発明の開示】
【発明が解決しようとする課題】
【０００８】
このように地面を覆うことで雑草が発芽することを抑止する方法として、防草シートで覆う他に、モルタル吹き付け工法、張コンクリート工法、ブロック積工法や、ゴムシート工法などがある。しかし、これらの従来の工法は、施工するために大型の機械を必要とするので、施工および補修が容易でない。また、コンクリート、ブロックやゴムシートが、露出した状態となるので、環境や景観に即した工法とはいえない。
【０００９】
また、これらの従来の工法は、特許文献１〜４に記載の従来の防草マットで地面を覆う場合と同じように、地面を完全に外気から遮断してしまうので、飛来する雑草の種子が発芽することを抑止できるが、地面上や地中に生息する微生物や昆虫などの動物や植物を死滅させてしまい、元の土壌の状態に復元するまでには何年もの歳月を要してしまう。
【００１０】
ところで、道路、林道、河川、治山、宅地造成などの法面や平地には、自然景観の連続性や、法面強度の補強増加を目的として、客土吹付工、厚層基材吹付工や、張芝工などにより種子や芝が植え付けられる。そして、時間の経過と共に植物が生長していくが、雑草の種子が飛来して発芽すると在来の植物を駆逐し、やがては雑草が生い茂るようになってしまう。しかし、この雑草の発芽を抑止するために、上記のような従来の防草マットや、従来の工法を用いては、法面や平地に植え付けられた植物の生長を阻害してしまう。これでは、育成を希望する植物を植え付けても生長は望めない。
【００１１】
そこで本発明は、育成を希望する植物の生長を阻害することなく、飛来して来る雑草が発芽して生長することを抑止することで、景観を向上させつつ、地面強度の補強増加を図ることが可能な防草緑化マットおよびその施工方法を提供することを目的とする。
【課題を解決するための手段】
【００１２】
本発明の防草緑化マットは、地面に植え付けられることで生長する植物が通過可能な複数の貫通孔が、育成孔としてマット本体に設けられ、前記地面と前記マット本体との間に通水路が形成されていることを特徴とする。
【００１３】
本発明の防草緑化マットには、複数の貫通孔が育成孔としてマット本体に設けられている。この育成孔は、地面に植え付けられることで生長する植物が通過可能な程度の大きさを有している。従って、育成を希望する植物が生長して延びる際に、本発明の防草緑化マットで地面を覆っていても、植物は育成孔を通過するので、植物の生長を阻害しない。また、植物が生長して育成孔を通過することで、飛来した雑草の種子が育成孔から侵入できない状態とすることができる。従って、雑草の種子が飛来してきても、本発明の防草緑化マット上に留まらせるだけで発芽することを抑止することができる。また、本発明の防草緑化マットには、地面とマット本体との間に通水路が形成されているので、地面上を流れる水や地中からの湧き水を、マット本体の外側まで通水路を通じて排水することができる。従って、本発明の防草緑化マットで地面を覆っていても、マット本体と地面との間に不要な水を滞留させることなく排水することができるので、育成を希望する植物を好環境の元で生長させることができる。
【００１４】
前記通水路は、前記マット本体を連続した断面凹凸状に形成することで、前記地面との間にできる隙間であるのが望ましい。マット本体を連続した断面凹凸状に形成することで通水路を形成すれば、マット本体と地面との隙間を確保するためにマット本体に脚部などを設ける必要がない。
【００１５】
前記育成孔は、少なくとも前記断面凹凸状に形成されたマット本体の頭頂面に設けられているのが望ましい。育成孔が断面凹凸状に形成されたマット本体の頭頂面に設けられていることで、地面から延びる植物を、凸状部の内側面に案内して頭頂面の育成孔から外側へ生長させることができる。
【００１６】
前記マット本体に形成された凸状部が、直線状の稜線を有していると、本発明の防草緑化マットを法面に敷設するときには、直線状の稜線を有する凸状部を、法面の傾斜方向に合わせる。そうすることで、通水路が形成される方向を法面の傾斜方向と合わせることができるので、排水性を高めることができる。
【００１７】
前記マット本体が、光透過性部材で形成されていると、育成孔だけでなく全体で光を透過させることができるので、育成を希望する植物として芝付けした場合には、本発明の防草緑化マットで芝を覆っても芝の光合成を阻害しない。
【００１８】
本発明の防草緑化マットの施工方法は、育成を希望する植物を地面に植え付ける工程と、前記植物が生長して通過するのに可能な複数の貫通孔が、育成孔としてマット本体に設けられ、前記地面と前記マット本体との間に通水路が形成された防草緑化マットを、敷設する工程と、前記防草緑化マットをアンカーで固定する工程とを含むことを特徴とする。
本発明の防草緑化マットの施工方法は、防草緑化マットを育成が希望される植物が植え付けられた地面に敷設し、アンカーで固定することで、容易に飛来してくる雑草の種子の発芽を抑止でき、育成を希望する植物を生長させることができる。
また、本発明の防草緑化マットの施工方法は、育成を希望する植物が生長して通過するのに可能な貫通孔が、育成孔としてマット本体に設けられ、前記地面と前記マット本体との間に通水路が形成された防草緑化マットを、敷設する工程と、前記防草緑化マットをアンカーで固定する工程と、前記植物を前記育成孔が形成された位置の地面に植え付ける工程と、前記植物の幹を中心として放射状に前記マット本体に切れ目を入れる工程とを含むことを特徴とする。
育成を希望する植物が木本類である場合には、植物が生長することで幹が太くなる。そこで、幹を中心として放射状にマット本体に切れ目を入れることで、幹が太くなるに従って切れ目がめくり上がり、育成孔全体が大きくなるので、木本類の植物の生長を本発明の防草緑化マットが阻害することがない。
【発明の効果】
【００１９】
本発明の防草緑化マットは、育成を希望する植物が植え付けられた地面に敷設されていても、生長した植物が育成孔を通過すると共に、通水路を通じて水を排水させることができることで、育成を希望する植物の生長を阻害することなく、飛来して来る雑草の発芽を抑止することができるので、景観を向上させつつ、地面強度の補強増加を図ることが可能である。
【発明を実施するための最良の形態】
【００２０】
（実施の形態１）
本発明の実施の形態１に係る防草緑化マットを図面に基づいて説明する。図１は、本発明の実施の形態１に係る防草緑化マットを示す図であり、（Ａ）は斜視図、（Ｂ）は断面図である。
【００２１】
図１（Ａ）および同図（Ｂ）に示すように、本実施の形態１に係る防草緑化マット１は、幅が約０．６ｍ〜約２ｍ、長さが２０ｍ〜５０ｍ、厚みが３ｍｍ〜１５ｍｍに形成されている。防草緑化マット１の幅や長さは、敷設される場所に応じて適宜決定することができる。また、厚みは、施工される地盤の強度や植え付けられる植物に応じて決定することができる。現場にて、防草緑化マット１を連続して敷設する際に、幅方向や長さ方向に余りが発生した場合には、余った部分を切除することで調整することが可能である。
【００２２】
防草緑化マット１は、マット本体１０に、平面視して円形状に形成された凸状部１１と凹状部１２とを規則的に点在させることで、断面凹凸状に形成されている。
凸状部１１と凹状部１２とは、縦列および横列に、配置が交互となるように形成されている。本実施の形態１では、約１０ｍｍごとに凸状部１１と凹状部１２とが配置されている。なお、この防草緑化マット１は、凸状部１１と凹状部１２とがそれぞれ同じ直径に形成されていることで表裏があるものではないが、便宜上、地面に載置したときに、突起となる方を凸状部１１、凹んだ方を凹状部１２と称している。従って、防草緑化マット１を裏返せば、凸状部１１は凹状部１２になり、凹状部１２は凸状部１１となる。
【００２３】
凸状部１１の頭頂面１１ａと凹状部１２の底面１２ａとに、貫通孔が育成孔１１ｂ，１２ｂとして設けられている。本実施の形態１では、育成孔１１ｂ，１２ｂが、円形状に形成されているが、凸状部の頭頂部や、凹状部の底面部の形状に合わせて、三角形状、正方形状、長方形状、菱形状、他の多角形状や、異形状としてもよい。
【００２４】
この育成孔１１ｂ，１２ｂは、本実施の形態１では直径が約３ｍｍに形成されているが、育成が希望される植物の太さに応じて決めることができる。つまり、植物が生長して通過可能な程度の大きさとするのが望ましい。また、育成孔１１ｂ，１２ｂの数は、全ての凸状部１１の頭頂面１１ａと、全ての凹状部１２の底面１２ａとに設けられていることで、１ｍ2当たり約１００００ほど設けられている。しかし、育成孔１１ｂ，１２ｂは、播種される草の種子の発生期待本数（希望成立本数）に合わせれば十分である。従って、種子の種類に応じて、育成孔１１ｂ，１２ｂを設ける凸状部１１の頭頂面１１ａまたは凹状部１２の底面１２ａを選択して、合計で１ｍ2当たり４５０〜１０００となるようにしてもよい。植え付けられる植物が芝の場合には、生長する密度が高いため、より数多くの育成孔１１ｂ，１２ｂを設けるのが望ましい。
【００２５】
防草緑化マット１は、不透水性で、かつ光透過性を有すると共に耐侯性に優れ、強度を確保しつつ、折り曲げが可能である透明なポリエチレンで形成されている。なお、防草緑化マット１をポリエチレンで形成する以外に、不透水性であり、かつ耐候性に優れていればゴム製としたり、塩化ビニールなどの樹脂製としたりすることが可能である。防草緑化マット１を光透過性部材としたことで、張芝工に採用すると芝に光合成を行わせ生長を促すことができるので適しているが、この防草緑化マット１は全ての緑化工法に採用することが可能である。
【００２６】
防草緑化マット１は、マット本体１０が断面凹凸状に形成されていることで、地面との隙間が凸状部１１の下方に確保される。この隙間が通水路１３となる。
【００２７】
従って、地面に植え付けられた種子や、張芝などの植物は、通水路１３を流れる水や、育成孔１１ｂ，１２ｂからの水と、マット本体１０を透過した光や、育成孔１１ｂ，１２ｂを通過した光により光合成しながら生長して、育成孔１１ｂ，１２ｂを通過し、大きく延びることができる。育成孔１１ｂ，１２ｂを通過して生長する植物は、育成孔１１ｂ，１２ｂ全体を塞ぐように大きくなっていくので、飛来する雑草の種子が育成孔１１ｂ，１２ｂから地面へ侵入してしまうことを抑止する。従って、飛来する雑草の種子は、防草緑化マット１上に落下して地面に侵入することができないので、育成が望まれない雑草の発芽を抑止することができる。
【００２８】
凹状部１２の下方に位置する植物は、凹状部１２の育成孔１２ｂを通過するように生長するが、育成孔１２ｂの位置から少しずれた位置から生長すると、心配される程度ではないが育成孔１２ｂの縁部に生長が邪魔されることがある。しかし、凸状部１１の下方に位置する植物は、凸状部１１の頭頂面１１ａの真下の位置から生長していなくても、凸状部１１の内側面１１ｃに案内されて頭頂面１１ａの育成孔１１ｂから外側へ生長させることができる。
【００２９】
このように、防草緑化マット１で地面を覆っていても、マット本体１０と地面との間に不要な水を滞留させることなく排水することができるので、育成を希望する植物の生長を阻害することなく、飛来して来る雑草の発芽を抑止することができる。よって、防草緑化マット１は、景観を向上させつつ、地面強度の補強増加を図ることが可能である。
【００３０】
（実施の形態２）
本発明の実施の形態２に係る防草緑化マットを図２に基づいて説明する。図２は、本発明の実施の形態２に係る防草緑化マットを示す図であり、（Ａ）は斜視図、（Ｂ）は断面図である。
【００３１】
図２（Ａ）および同図（Ｂ）に示すように、本発明の実施の形態２に係る防草緑化マット２は、幅が約０．６ｍ〜約２ｍ、長さが２０ｍ〜５０ｍ、厚みが３ｍｍ〜１５ｍｍに形成されている。防草緑化マット２の幅、長さ、厚みについては、実施の形態１に係る防草緑化マット１と同様に、適宜、決定することが可能である。
【００３２】
防草緑化マット２は、マット本体２０の凸状部２１の断面が円弧状に形成されていることで直線状の稜線Ｌ１（点線で示される部分）が形成され、凸状部２１と凹状部２２とが交互に配置されていることで断面凹凸状の波型となっている。
この凸状部２１の頭頂面２１ａ同士、凹状部２２の底面２２ａ同士の間隔は、それぞれ約１０ｍｍに形成されている。つまり、防草緑化マット２は、凸状部２１と凹状部２２とがそれぞれ同じ幅に形成されていることで表裏があるものではないが、便宜上、地面に載置したときに、突起となる方を凸状部２１、凹んだ方を凹状部２２と称している。従って、防草緑化マット２を裏返せば、凸状部２１は凹状部２２になり、凹状部２２は凸状部２１となる。
【００３３】
防草緑化マット２は、凸状部２１の頭頂面２１ａと、凹状部２２の底面２２ａと、凸状部２１および凹状部２２を繋ぐ傾斜面２３とに、それぞれ列状に貫通孔が育成孔２１ｂ，２２ｂ，２３ａとして設けられている。
【００３４】
防草緑化マット２は、不透水性で、かつ光不透過性を有している。防草緑化マット２を光不透過性としたことで、地面に種子を吹き付ける吹付工に適しているが、全ての緑化工法に適用することが可能である。なお、本実施の形態２に係る防草緑化マット２では、ゴムで形成されているが、不透水性であり、かつ耐候性に優れていればポリエチレン製や、他の樹脂製としたりすることが可能である。
【００３５】
防草緑化マット２は、マット本体２０が断面凹凸状の波型に形成されていることで、地面との隙間が凸状部２１の下方に確保される。この隙間が通水路２４となる。
【００３６】
従って、地面に植え付けられた種子や、張芝などの植物は、通水路２４を流れる水や、それぞれの育成孔２１ｂ，２２ｂ，２３ａからの水と、育成孔２１ｂ，２２ｂ，２３ａを通過した光により生長して、育成孔２１ｂ，２２ｂ，２３ａを通過して大きく延びることができる。
【００３７】
育成孔２１ｂ，２２ｂ，２３ａを通過して生長する植物は、育成孔２１ｂ，２２ｂ，２３ａ全体を塞ぐように大きくなっていくので、飛来する雑草の種子が育成孔２１ｂ，２２ｂ，２３ａから地面へ侵入してしまうことを抑止する。従って、飛来する雑草の種子は、防草緑化マット２上に落下して地面に侵入することができないので、育成が望まれない雑草の発芽を抑止することができる。
【００３８】
凹状部２２の下方に位置する植物は、凹状部２２の育成孔２２ｂを通過するように生長するが、育成孔２２ｂの位置から少しずれた位置から生長すると、心配される程度ではないが育成孔２２ｂの縁部に生長が邪魔されることがある。しかし、凸状部２１の下方に位置する植物は、凸状部２１の頭頂面２１ａの真下の位置から生長していなくても、凸状部２１の内側面２１ｃに案内されて頭頂面２１ａの育成孔２１ｂから外側へ生長させることができる。
【００３９】
このように、実施の形態２においても、防草緑化マット２は、マット本体２０と地面との間に不要な水を滞留させることなく排水することができるので、育成を希望する植物の生長を阻害することなく、飛来して来る雑草の発芽を抑止することができる。よって、防草緑化マット２は、景観を向上させつつ、地面強度の補強増加を図ることが可能である。
【００４０】
（実施の形態３）
本発明の実施の形態３に係る防草緑化マット３を図３に基づいて説明する。図３は、本発明の実施の形態３に係る防草緑化マットを示す図であり、（Ａ）は斜視図、（Ｂ）は断面図である。
【００４１】
図３（Ａ）および同図（Ｂ）に示すように、本発明の実施の形態３に係る防草緑化マット３は、幅が約０．６ｍ〜約２ｍ、長さが２０ｍ〜５０ｍ、厚みが３ｍｍ〜１５ｍｍに形成されている。防草緑化マット３の幅、長さ、厚みについては、実施の形態１，２に係る防草緑化マット１，２と同様に、適宜、決定することが可能である。
【００４２】
この防草緑化マット３は、マット本体３０の凸状部３１が台形状に形成されていることで直線状の稜線Ｌ２が形成され、凸状部３１と凹状部３２とが交互に配置されていることで断面凹凸状に形成されている。防草緑化マット３は、凸状部３１の幅が凹状部３２の幅より広く形成されている。
【００４３】
この防草緑化マット３は、凸状部３１の平面部である頭頂面３１ａと、凹状部３２の底面３２ａとに、貫通孔が育成孔３１ｂ，３２ｂとして設けられている。この育成孔３１ｂ，３２ｂに関しては、実施の形態１，２に係る育成孔１１ｂ，１２ｂ，２１ｂ，２２ｂ，２３ａと同様なので、詳細な説明は省略するが、数の調整は配置される間隔により決定される。
【００４４】
防草緑化マット３は、不透水性で、かつ光不透過性を有している。防草緑化マット３を光不透過性としたことで、地面に種子を吹き付ける吹付工に適している。また、凸状部３１の頭頂面３１ａが平面状に形成されていることで、道路に沿って形成される歩道など歩行者が通行する場所に適している。なお、本実施の形態２に係る防草緑化マット２では、ゴムで形成されているが、不透水性であり、かつ耐候性に優れていればポリエチレン製や、他の樹脂製としたりすることが可能である。
【００４５】
防草緑化マット３は、マット本体３０が凸状部が台形状に形成されていることで、地面との隙間が凸状部３１の下方に確保される。この隙間が通水路３３となる。
従って、地面に植え付けられた種子や、張芝は、通水路３３を流れる水や、それぞれの育成孔３１ｂ，３２ｂからの水と、育成孔３１ｂ，３２ｂを通過した光により生長して、育成孔３１ｂ，３２ｂを通過して大きく延びることができる。
【００４６】
育成孔３１ｂ，３２ｂを通過して生長する植物は、育成孔３１ｂ，３２ｂ全体を塞ぐように大きくなっていくので、飛来する雑草の種子が育成孔３１ｂ，３２ｂから地面へ侵入してしまうことを抑止する。従って、飛来する雑草の種子は、防草緑化マット３上に落下して地面に侵入することができないので、育成が望まれない雑草の発芽を抑止することができる。
【００４７】
凹状部３２の下方に位置する植物は、凹状部３２の育成孔３２ｂを通過するように生長するが、育成孔３２ｂの位置から少しずれた位置から生長すると、心配される程度ではないが育成孔３２ｂの縁部に生長が邪魔されることがある。しかし、凸状部３１の下方に位置する植物は、凸状部３１の頭頂面３１ａの真下の位置から生長していなくても、凸状部３１の内側面３１ｃに案内されて頭頂面３１ａの育成孔３１ｂから外側へ生長させることができる。
【００４８】
このように、実施の形態３においても、防草緑化マット３は、マット本体３０と地面との間に不要な水を滞留させることなく排水することができるので、育成を希望する植物の生長を阻害することなく、飛来して来る雑草の発芽を抑止することができる。よって、防草緑化マット３は、景観を向上させつつ、地面強度の補強増加を図ることが可能である。
【００４９】
（防草緑化マットの施工方法）
以上のように構成された本発明の実施の形態１〜３に係る防草緑化マット１〜３の施工方法について図面に基づいて説明する。図４は、実施の形態に係る防草緑化マットを道路の法面および路肩へ敷設する方法を説明するための図である。図５は、実施の形態に係る防草緑化マットを道路下法面および平地へ敷設する方法を説明するための図である。図６は、花壇に敷設される防草緑化マットの部分平面図である。図７は、実施の形態に係る防草緑化マットをコンクリート枠内に敷設する方法を説明するための図である。
【００５０】
図４に示すように、アスファルト舗装された道路５１沿いには、縁石ブロック５２と歩道５３と側溝ブロック５４とが設けられている。また、歩道５３の反対側にも道路５１を挟んで側溝ブロック５４が設けられている。そして、道路５１の両側には、切土や盛土による法面５５，５５が形成されている。
【００５１】
まず、法面５５および歩道５３の雑草を除去し、整形清掃する。次に、法面５５および歩道５３に、客土吹付工、または厚層基材吹付工などにより育成基盤材を吹き付けて育成基盤を形成する。また、肥料袋付張芝工や、人工張芝工などにより、種子や肥料を内包した袋体や網体を敷設して育成基盤を形成する。
【００５２】
次に、育成基盤が形成された法面５５，５５に、実施の形態１に係る防草緑化マット１を敷く。例えば、幅が２ｍの防草緑化マット１を、法面５５，５５の希望高さに合わせて複数枚を敷設する。その際には、防草緑化マット１の重ね幅を約５ｃｍ以上として順次隙間無く敷く。そして、防草緑化マット１の重ねた場所に、ステーブル用釘打機を使用して重ねた防草緑化マット１をステーブル（図示せず）で打ち抜くようにして、防草緑化マット１同士を接続すると共に地面に固定する。法面５５，５５の土壌硬度が高い場合には、ステーブルによる固定の代わりに、スクリングアンカー（図示せず）により防草緑化マット１を固定する。このスリングアンカーは、径が６ｍｍ〜１０ｍｍ、長さ１５０ｍｍ〜３００ｍｍ程度のものが採用できる。
【００５３】
幅が２ｍの歩道５３の場合には、実施の形態３に係る防草緑化マット３として、２ｍ幅のものを準備し、幅方向に１枚敷き地面に固定する。道路５１に沿って防草緑化マット１を敷設する際に、長さが不足すれば次の防草緑化マット１を約５ｃｍ程度、またはそれ以上重ねて固定していく。
【００５４】
法面５５に敷かれた防草緑化マット１全体、および歩道５３に敷かれた防草緑化マット３全体を固定するためには、主固定部材として、径が１６ｍｍ、長さが４００ｍｍの平頭スクリングアンカー５６ａと、補助固定部材として、径が１３ｍｍ、長さが３００ｍｍの平頭スクリングアンカー５６ｂを、図４に示すように併用する。
【００５５】
このように、法面５５に防草緑化マット１を敷設したり、歩道５３に防草緑化マット３を敷設したりする場合には、予め育成基盤を形成した後に、防草緑化マット１，３を載置して平頭スクリングアンカー５６ａ，５６ｂで固定するだけで簡単に敷設することができる。
【００５６】
なお、歩道５３には実施の形態３に係る防草緑化マット３以外に、実施の形態１，２に係る防草緑化マット１，２としてもよい。しかし、歩道５３に敷設された防草緑化マット３は、凸状部３１の頭頂面が平面に形成されているので、歩行者が歩きやすいので、歩道５３には、防草緑化マット３を敷設するのが望ましい。
【００５７】
法面５５に敷設される防草緑化マット１は、裏表、左右上下がないため、防草緑化マット１を配置する方向を気にすることなく、法面５５に固定するだけで、法面５５の法肩から流れ込む水や、または湧き水を、通水路１３を通じて法尻方向へ流すことができる。従って、法面５５は、防草緑化マット１に覆われていても、水が滞留して澱むことなく全体を潤った状態とすることができる。
【００５８】
法面５５に、実施の形態２または３に係る防草緑化マット２，３を敷設する場合には、凸状部２１，３１の稜線方向が法面５５の傾斜方向と直交しないように配置するのが望ましく、一致するように配置するのが最も望ましい。そうすることで、効率よく通水路２４，３３に水が流れ、法尻方向へ流すことができる。
このようにして、法面５５に防草緑化マット１〜３を敷設することが可能である。この施工方法によれば、図５に示す道路下法面５７でも同様に施工することができる。
【００５９】
次に、歩道と車道とを分離するための花壇に、実施の形態１に係る防草緑化マット１を設ける場合を、図５に基づいて説明する。
図５に示すように、歩道５８と車道５９とを分離するための花壇６０に、実施の形態１に係る防草緑化マット１を敷設し、かつ大きく幹６１が生長する木本類の植物６２を植えたい場合には、まず、花壇６０を整形清掃する。次に、防草緑化マット１を敷き、平頭スクリングアンカー５６ａ，５６ａで固定する。そして、花壇６０に固定した防草緑化マット１の所定の位置に、育成孔１１ｂ，１２ｂとは別に、例えば、２０ｃｍ〜１ｍの大きさのポット式の木本類の植物６２の苗を植栽可能な程度の貫通孔を、図６に示すように、育成孔１１ｄとして穿孔する。
【００６０】
穿孔した育成孔１１ｄの位置に、木本類の植物６２を植栽し、育成孔を中心にして放射状に延びる切れ目１１ｅを形成する。この切れ目１１ｅは、防草緑化マット１が樹脂で形成されているためカッターなどで容易に形成することが可能である。
【００６１】
このように防草緑化マット１を木本類の植物６２が植栽される花壇６０に敷設する場合でも、防草緑化マット１には切れ目１１ｅが形成されていることで、幹６１の太さに応じて切れ目１１ｅがめくれ上がり育成孔１１ｄ全体の大きさが大きくなるので、木本類の植物６２の生長を阻害することが防止できる。
【００６２】
次に、法面の保護として設けられる現場打ちのコンクリート枠の枠内に、実施の形態１に係る防草緑化マット１を設ける場合を、図７に基づいて説明する。
図７に示すように、まず、法面に形成されたコンクリート枠７０内を清掃する。そして、客土吹付工、または厚層基材吹付工などにより育成基盤材を吹き付けて育成基盤を形成する。また、肥料袋付張芝工や、人工張芝工などにより、種子や肥料を内包した袋体や網体を敷設して育成基盤を形成する。図７では、肥料袋付張芝工にて袋体７１が載置された状態を示す。
【００６３】
次に、育成基盤が形成されたコンクリート枠７０に、実施の形態１に係る防草緑化マット１を敷く。そして、防草緑化マット１を平頭スクリングアンカー（図示せず）で固定する。このように法面に形成されたコンクリート枠７０においても、防草緑化マット１を敷設することが可能である。
【００６４】
以上、本発明の実施の形態について説明してきたが、本発明は前記実施の形態に限定されるものではない。例えば、防草緑化マットとして、マット本体と地面との間に通水路が確保できればよいので、平坦状のマット本体に、適宜、所定の形状の脚部を設けて、地面との隙間を確保するように形成してもよい。
【産業上の利用可能性】
【００６５】
本発明の防草緑化マットおよびその施工方法は、道路や河川に沿って丘、山や川岸を整形した切土法面、盛土法面、または道路下法面や、歩道、中央分離帯、送電鉄塔地、公園、街路樹、墓地などの傾斜面や平地のあらゆるところに適用することができる。特に、本発明は、景観を損ね、道路幅を狭くし、圧迫感を与え、視野を妨げ、事故や犯罪の発生を誘引する雑草類の侵入を防止し、除草などのメンテナンスを必要とせず、しかも育成を希望する植物だけを生長させたい場所に最適である。
【図面の簡単な説明】
【００６６】
【図１】本発明の実施の形態１に係る防草緑化マットを示す図であり、（Ａ）は斜視図、（Ｂ）は断面図である。
【図２】本発明の実施の形態２に係る防草緑化マットを示す図であり、（Ａ）は斜視図、（Ｂ）は断面図である。
【図３】本発明の実施の形態３に係る防草緑化マットを示す図であり、（Ａ）は斜視図、（Ｂ）は断面図である。
【図４】実施の形態に係る防草緑化マットを道路の法面および路肩へ敷設する方法を説明するための図である。
【図５】実施の形態に係る防草緑化マットを道路下法面および平地へ敷設する方法を説明するための図である。
【図６】花壇に敷設される防草緑化マットの部分平面図である。
【図７】実施の形態に係る防草緑化マットをコンクリート枠内に敷設する方法を説明するための図である。
【符号の説明】
【００６７】
１，２，３  防草緑化マット
１０，２０，３０  マット本体
１１，２１，３１  凸状部
１１ａ，２１ａ，３１ａ  頭頂面
１１ｂ，２１ｂ，３１ｂ  育成孔
１１ｃ，２１ｃ，３１ｃ  内側面
１１ｄ  育成孔
１１ｅ  切れ目
１２，２２，３２  凹状部
１２ａ，２２ａ，３２ａ  底面
１２ｂ，２２ｂ，３２ｂ  育成孔
１３，２４，３３  通水路
２３  傾斜面
２３ａ  育成孔
５１  道路
５２  縁石ブロック
５３  歩道
５４  側溝ブロック
５５  法面
５６ａ，５６ｂ  平頭スクリングアンカー
５７  道路下法面
５８  歩道
５９  車道
６０  花壇
６１  幹
６２  木本類の植物
７０  コンクリート枠
７１  袋体
Ｌ１，Ｌ２  稜線
【図１】
2008307026.tif 000003
【図２】
2008307026.tif 000004
【図３】
2008307026.tif 000005
【図４】
2008307026.tif 000006
【図５】
2008307026.tif 000007
【図６】
2008307026.tif 000008
【図７】
2008307026.tif 000009